(57)【特許請求の範囲】
【請求項１】
接地される第１の複数のケーブル、並びに接地されない第２の複数のケーブルを接続するための電気的コネクターであって、
中心スペース、並びに接地されるケーブルの夫々を保持する複数のボアを有し、接地されるケーブルを接続するための導電体の外側コネクター本体と、
前記中心スペース内に配置され、接地されないケーブルを接続するための非導電体の内側コネクター本体と、
接地されるケーブルの各々の接地されるコンタクトと、外側コネクター本体との間の電気的接続体とを具備する電気コネクター。
【請求項２】
前記外側コネクター本体は、筒体を有し、前記中心スペースは、この筒体の両端間に延びている請求項１の電気コネクター。
【請求項３】
中に前記外側コネクター本体が保持されるシエルを具備する請求項１の電気コネクター。
【請求項４】
前記シエルと外側コネクター本体との間の電気的接触を果たす導電性のかしめリングを具備する請求項３の電気コネクター。
【請求項５】
前記電気的接続体は、接地されるコンタクトと外側コネクター本体との間の電気的接触を果たす金属の留めクリップを有する請求項１の電気コネクター。
【請求項６】
前記留めクリップは、ケーブルを複数のケーブル受けボアの１つの中に保持するロック構造体を有する請求項５の電気コネクター。
【請求項７】
前記留めクリップは、環状であり、複数のケーブル受けボアの１つの中の円筒スペース内に配置可能である請求項６の電気コネクター。
【請求項８】
前記ロック構造体は、前記円筒スペースの中に突出する弾性突片を有し、この弾性突片は、接地されるコンタクトの環状の肩部の後ろでスナップ結合する請求項７の電気コネクター。
【請求項９】
前記接地されるコンタクトは、フランジを有し、このフランジは、環状の肩部を有する請求項８の電気コネクター。
【請求項１０】
前記外側コネクター本体は、前記弾性突片が接地されるコンタクトの環状の肩部の後ろでスナップ結合している位置を過ぎて留めクリップが動くことを防止するストッパーを有する請求項８の電気コネクター。
【請求項１１】
前記円筒スペースの内側肩部が、ストッパーを有する請求項１０の電気コネクター。
【請求項１２】
前記外側コネクター本体は、前記弾性突片が接地されるコンタクトの環状の肩部の後ろでスナップ結合している位置を過ぎて接地されるコンタクトが動くことを防止するストッパーを有する、請求項８の電気コネクター。
【請求項１３】
前記円筒スペースの内側肩部は、ストッパーを有する請求項１２の電気コネクター。
【請求項１４】
前記留めクリップは、中心付け構造体を有する請求項８の電気コネクター。
【請求項１５】
前記中心付け構造体は、複数の窪みを有する請求項１４の電気コネクター。
【請求項１６】
前記留めクリップは、弾性であり、複数のケーブル受けボアの１つの中の円筒スペースの中にスナップ結合している請求項７の電気コネクター。
【請求項１７】
前記金属の留めクリップは、前記外側コネクター本体と、接地されるケーブルとの少なくとも一方に接触する突出クリップエッジを有する請求項５の電気コネクター。
【請求項１８】
接地される第１の複数のケーブル、並びに接地されない第２の複数のケーブルを接続するための電気的コネクターであって、
中心スペース、並びに接地されるケーブルの夫々を保持する複数の開口を有し、接地されるケーブルを接続するための導電体の外側コネクター本体と、
前記中心スペース内に配置され、接地されないケーブルを接続するための非導電体の内側コネクター本体と、
接地されるケーブルの各々の接地されるコンタクトと、外側コネクター本体との間の電気的接続体とを具備し、
前記電気的接続体は、前記接地されるコンタクトの外側のケースと、前記外側コネクター本体の開口の内面とを電気的に接続する、導体の留めクリップを有し、また、また、前記接地されないケーブルは、接地されないように絶縁体により前記接地されるケーブルから絶縁されている電気コネクター。
【発明の詳細な説明】
【０００１】
【発明の属する技術分野】
本発明は、ミックスされた接地並びに非接地コンタクトを有する相互に組み合わされるコネクター、及びシールドを有するコネクターに関する。
【０００２】
【従来の技術】
Ｎａｋａｊｉｍａによる米国特許Ｎｏ．４，９７４，０７５は、コンタクトピンと、これらコンタクトピンと、コネクターの２つの部分が軸方向の相対的な移動により係合する対応ソケットとの同軸的な機構とを備えたコネクターを開示している。前記複数のピンは、２つの同心円上に夫々位置されて、２つの径方向のコンタクト群を形成している。これらコンタクトは、これらの導体がプラスチックにより囲まれた絶縁形式である。
【０００３】
Ｎａｋａｊｉｍａは、コネクター全体を囲んだ筒状、即ち、円環状の金属シールドと、内側のコンタクト群と外側のコンタクト群との間のシールドによる絶縁シールドを与えている。ここでは、種々の部品が、交互の金属とプラスチックとで形成されたテレスコーブチューブ形状に、互いに装着されている。かくして、内方円上に位置する電気コンタクトと外方円上に位置する電気コンタクトとは、互いにシールドされているけれども、２つの径方向の電気コンタクト群の一方に属する両コンタクト間はシールドされておらず、これら電気コンタクト群は、プラスチックだけで分離されている。
【０００４】
【発明が解決しようとする課題】
従って、径方向のコンタクト群内のクロストークを防止するものはなにも無い。また、Ｎａｋａｊｉｍａの装置の他の欠点は、機械的に弱いことである。これは、ピンとソケットとが埋め込まれている円環状のプラスチック部分が、これらに装着された金属シールドがかなりかさばるので、非常に薄い壁を有するからである。
【０００５】
金属のシールド片もまた、同様の理由で比較的薄くなっている。組み立てられたコネクターに曲げ応力がかかると、コネクターの相互に装着された円環状の部分は、曲がり易く、コネクターの２つの半体を分離並びに再結合させることを困難にする。
【０００６】
Ｎａｋａｊｉｍａのマッチングコネクターの半体の各々は、大径のねじやショルダーストッパーのような高価な構成部品を使用している。このような大きいねじは、高価であるだけではなく、結合が難しい。
また、Ｎａｋａｊｉｍａの装置は、接地コンタクトを備えたコネクターには適していない。例えば、複数の同軸ケーブル導体対もしくはシールドされた導体対への適用は難しいか不可能である。
【０００７】
本発明の目的は、単一コネクター内の接地されるライン相互を組合わせる、例えば、接地される外側導電体を複数のシールドされた導電体対に組合わせるコネクターを提供することである。
他の目的は、機械的に強く強固なコネクターを提供することである。
さらなる他の目的は、２軸、３軸並びに／もしくは同軸ケーブルを同時に接続することができると共に、これらの接地体を同時に接続することができるコネクターを提供することである。
【０００８】
【課題を解決するための手段】
本発明は、ミリタリー形式（もしくは他の）コネクターの中間部に見られる通常の接地されないラインもしくはケーブルに加えられる複数の接地されるケーブルを接続するための、導電性で好ましくは固体金属の挿入体、即ち、コネクター本体を提供する。この挿入体は、各々が標準コネクターハウジングの１つの半体の中に好ましくは適合する２つの互いに対をなす（ｍａｔｉｎｇ）筒体を有する。複数のボアが、相互に組み合わされたコネクター本体を一端から他端へと貫通し、２つの筒体間の接続部で一致している。ケーブルのカップリングが、留めクリップにより２つの筒体の各々の中に支持されており、この結果、これらカップリングは、２つの筒体が組み合わされたときには組み合わされる。
【０００９】
前記挿入体は、導電体であるために、これは、接地されるケーブル接地体の各々が結合され得る理想的な共通の接地体を提供すると共に、クロストークを制限するように、各ケーブルのカップリングの周りをファラデーシールドを提供する。共通の電気的接続が、２つの筒体並びにケーブルの接地体間に存在する。前記コネクターハウジングが金属であると、各筒体とこのハウジングとの間の第２の電気的接続が、好ましくは良好になされる。この接続を果たす好ましい方法は、片を使用することである。
【００１０】
以下に明らかになるであろう本発明のこれら並びに他の目的、効果、並びに態様において、本発明の性質は、以下の本発明の詳細な説明、請求の範囲、並びに添付の幾つかの図面より明らかになるであろう。
【００１１】
【発明の実施の形態】
以下、図面を参照して本発明の一実施形態を説明する。
【００１２】
図１は、２つの対をなすコネクターが図示された、本発明に係る電気コネクターを全体的に示す。これらの部品を最初に説明する。シエル９００は、好ましくは、従来のものと同じである（ミリタリー形式が図面では示されている）。対をなすシエル９０１が下に示されている。これらシエルは、単一コネクター集合体を一般的に含んでいる。各集合体は、多くのピンもしくはソケットがこれらが互いに絶縁が保たれるように誘電体に埋め込まれている。これらは、本発明では変更される。
【００１３】
前記シエル９００内には、１つではないけれども、２つの好ましい入れ子部品、即ち、誘電体の内側コネクター本体１００と、外側コネクター本体２００とが装着されている。この外側コネクター本体２００は、内側コネクター本体２００を中に受けるための軸孔（中心スペース）２１０を有する。
【００１４】
好ましくは、前記内側コネクター本体１００は、シエル９００のように標準的なものであるけれども、シエル９００が適合する標準のサイズよりも小さいサイズである。前記外側コネクター本体２００は、内側の誘電体コネクター本体１００を受け入れると共に、シエル９００内に受け入れられるようなディメンションを有する。
【００１５】
前記外側コネクター本体２００は、導電体であり、好ましくは、メッキされたアルミニウム（ｐｌａｔｅｄ  ａｌｕｍｉｎｕｍ）のような金属材料により形成されている。代わって、これは，導電体となるように導電体の粒子もしくはファイバーが含浸されたか、導電材料でコーティングされたプラスチックのような非導電材料で形成され得る。この外側コネクター本体２００は、接地とファラデーシールドとの両方として機能する構造が、本発明の範囲内である。
【００１６】
外側の挿入体、即ち、コネクター本体２００の透孔の周囲には、同軸もしくは３軸コンタクトを受け入れるための複数の開口（ボア）２７０が配置されている。これら開口２７０の各々は、図３に詳細に示された接地用の留めクリップ４００を中に受け入れるようになっている。この留めクリップ４００は，各開口２７０内に、接地される（例えば、同軸もしくは３軸の）コンタクト７００を支持する．このコンタクトは、また、図３に示されている。このコンタクト７００の外面は、接地用のケーブルのための接地体である。
【００１７】
図１の組み合わされたコネクターの軸に沿う平面での断面図である図２は、図１に示された上側の部品がどのようにしてシエル９００内に一緒に組み込まれているかを示すと共に、図１では隠れている外側コネクター本体２００の部分の形状を示す。こコネクター本体２００は，全体として、そして開口２７０の穴は、図示の実施の形態では回天体の形態であるので、図２のアウトラインは、図示された好ましい実施の形態に対して完全な形状を示している。
【００１８】
前記内側コネクター本体１００は、留めクリップ１５０により所定位置に好ましくは支持されて、透孔中に適合にされたコンタクト１１０を有する。この内側コネクター本体１００は、この好ましい実施の形態では一般的であり、さらには説明されないであろう。
【００１９】
内方の弾性エラストマーでできた湿気防止用のシールグロメット１３０が、内側コネクター本体１００の後に位置されており、また、環状で、外方の弾性エラストマーでできた湿気防止用のシールグロメット２３０が、前記外側コネクター本体２００の後に位置されている。
【００２０】
図１の下側に示された対をなすシエル９０１の中に一緒に適合する部品は、上側のシエル９００のコンタクトと対応したコンタクト（平面、同軸、３軸等）を保持している。即ち、雄並びに雌コネクター部分は、逆にされている。２つのシエルは、同じ方向に面して示されており、一方は、これらが組み合わされる前に反転される必要がある。
【００２１】
シエル９００の部品に対応したシエル９０１の部品が、同符号にダッシュを付けて示されている。例えば、外側コネクター本体２００‘は、外側コネクター本体２００にほぼ類似しているけれども、これより短く、また、図３に示され、以下に説明される如何なるコンタクト７００も受け入れない。しかし、これは、留めクリップ４００は、受け入れるであろう。コネクター本体２００，２００’は、各々が中心スペースと外面とを有する、導電体で、互に組み合わされる１対の円筒を形成している。
【００２２】
シエル９００の中には対応した部品がない、シエル９０１の中に入れられる付加の部品は、シール用のピン挿入体もしくは他のコンタクトもしくは部品のための２つのエラストマー面シール２５０，１５０を含んでいる。これらシールを通って、コンタクトは、起立したタワー部分を会して異なる機構中に突出する。
この好ましい実施の形態で、シエル９００，９０１の各々は、他方のシエルのための部品を受け入れることができることが気がつく。
【００２３】
図２は、内側コネクター本体１００と外側コネクター本体２００との後端部間に配置され、一般のもので良く、圧縮可能なリング９４を示す。このリングは、内側コネクター本体１００と、外側コネクター本体２００のボア内の肩部との間に適合される。この肩部は、リング９４と相互作用するように図に示されたシエル９００よりも小さい標準サイズのシエルの肩部に代わる（この小さいシエルは示されていない）。図示されたシエル９００は、一般コネクター本体において誘電体本体を押圧する対応した肩部を有する。
【００２４】
本発明において、シエル９００の肩部は、代わって、かしめリング９２を支持している。このかしめリングは、好ましくは圧縮可能で、メッキされた金属（ｐｌａｔｅｄ  ｍｅｔａｌ）でできている。このかしめリングは、前記導電性の外側コネクター本体２００を効果的に接地する、シエル９００と外側コネクター本体２００との間の電気的ブリッジとして機能する。外側コネクター本体は、この中の接地されたコンタクト７００のための接地を果たしている。接地された導電性の外側コネクター本体２００内のコンタクト７００は、効果的に接地されると共に、電磁気的にシールドされている。
【００２５】
図３は、例示的な同軸コンタクト７００と、本発明の、ほぼ円筒状の留めクリップ４００とを示す。この留めクリップは、外側コネクター本体２００の開口２７０のボア内にコンタクト７００を保持する。この同軸コンタクト７００は、中心導体７０１と、誘電体の絶縁体７０３と，外側のコンダクターケース７０５（接地された部分）との同軸内部構造を示すように部分的に切欠されて示されている。前記ケース７０５は、環状フランジ７０６を有する。図３のトップにある、中心導体７０１の丸められた先端部は、組み合わされたコネクター（図２に示す）内の開口２７０近くに位置される。
【００２６】
前記留めクリップ４００は、好ましくは、コンタクト７００の外側と、好ましくは金属でできた外側コネクター本体２００の開口２７０の内側との電気的な接続を果たす導電性の接地クリップであり、また、これは、ベリリウム銅のような弾性体金属もしくはそのメッキで好ましくは形成されている。このような留めクリップ４００は、コンタクト７００の外側本体のケース７０５から外側コネクター本体２００への回路をつくる。また、この留めクリップは、外側コネクター本体２００に対して所定位置にコンタクト７００を保持する。
【００２７】
前記留めクリップ４００は、好ましくは、留めクリップ４００の、２つの内方に突出したクリップエッジ４７２を有する。これらエッジは、留めクリップ４００とコンタクト７００との間の接地を良くかつ確実にするように、フランジ７０６の面と当接する。これら留めクリップ４００は、図２の右側に示す外側コネクター本体２００の一端部に挿入される。各留めクリップ４００は、内方に突出した複数の窪み４７０と、内方に突出した幾つかの弾性突片４９０とを有する。
【００２８】
図４並びに５は，留めクリップ４００とコンタクト７００とが外側コネクター本体２００内に保持されたときに、これらがとる同じ相対的位置で、留めクリップ４００は，コンタクト７００に組み合わされる。前記突片４９０の端部は、フランジ７０６の側面と当接して、留めクリップ４００に対して反対方向にフランジが動くのを防止する。前記窪み４７０とクリップエッジ４７２とは、フランジ７０６の外側の円周面に当たる。前記複数の窪みは、接地コンタクトとして主に機能するように意図されたクリップエッジ４７２の力を維持するように、コンタクト７００を中心に位置付ける。
【００２９】
図６は、前記コンタクト７００と留めクリップ４００とが、コネクター本体２００に保持される様子を詳細に示す。下側で、この図は、突片４９０がフランジ７０６の他側に当接している様子を示す。環状のスペース２４４の前側肩部２４７が、フランジ７０６と当接しているように見られ、このために、コンタクト７００並びに留めクリップ４００のためのストッッパーとして機能する。また、図６は，かしめリング９２が中へと圧縮されるスペース２９２を示す。このかしめリング９２は、図６には示されていないが、リング９４を保持するスペース２９４が同様に見られる。
【００３０】
前記フランジは、一側で、前側の内方肩部、即ち、ストッパー２４７により、また、他側で、突片４９０により支持されているので、このフランジは、軸方向に保持されており、コンタクト７００が落下できない。
【００３１】
組み立ては以下の通りである。
留めクリップ４００は、細長いギャップ４４４を有し、これより、径方向圧縮可能である。そして、圧縮されているときには、留めクリップが外側コネクター本体２００内の環状スペース２４４の中へと摺動することができるように、これの直径が充分に小さくなる。この環状スペース２４４は、円筒形であり、前記留めクリップ４００よりも僅かに長く、両端に急激な内方段部、即ち、肩部を有する。また、この環状スペースは、力を受けていない（ギャップが開いている）状態での留めクリップ４００の直径よりも、僅かに小さい。かくして、留めクリップ４００は、径方向に圧縮されて、環状スペース２４４の中に挿入され、ここで、自身の弾性力により外方にスナップ結合し、両端の内方段部、即ち、肩部に対して環状スペース２４４内のその位置でロックされる。窪み４７０を備えたクリップの一端が、最初に外側コネクター本体２００の環状スペース２４４中に挿入される。
【００３２】
前記突片４９０の端部は、留めクリップ４００の本体内の環状スペース中へ突出している。留めクリップが挿入された状態で、コンタクト７００のフランジ７０６は、弾性の突片を環状スペース２４４の内壁に向かって外方に押圧することにより、留めクリップ４００内で摺動できる（図３では上方、また、図６では左方向）。かくして、突片４９０は、フランジ７０６の肩部を通り過ぎたときに、内方にスナップ結合される。
【００３３】
ここ並びに請求の範囲で、“円筒（ａｎｎｕｌａｒ  ｃｙｌｉｎｄｅｒ）”もしくは“円環（ｃｙｌｉｎｄｒｉｃａｌ  ａｎｎｕｌｕｓ）”は、軸もしくは中心線に沿ってほぼプリズム的に（即ち、大小の一定断面で）延び、また、断面と中心開口と外周面とを有する対象物もしくはその一部を意味する。この中心開口と外周面とは、オプション的には円形であり得、また、オプション的に、これらの間にほぼ一定の幅を規定し得る。“筒形（ｃｙｌｉｎｄｒｉｃａｌ）”は、通常円形の断面を有することを意味するけれども、これは、ここでは必ずしも必須ではない。
【００３４】
外側の挿入体の好ましい形状は、（円筒ボアの開口と円筒形の外周面とを有する）円環のように成形されるように示されているけれども、本発明の挿入されるコネクター本体は、多角形、楕円形等のような種々の外側並びに内側の形状を有し得る。また、これら外側の形状と内側の形状とは、同じである必要はない。さらに、外側コネクター本体は、内側コネクター本体を完全に囲む必要はないけれども、代わって、例えば、Ｃ字形状にされ得る。
【００３５】
“挿入体（ｉｎｓｅｒｔ）”という用語は、ある組合わせ体の挿入される部分を意味し得るか、これは、何かに挿入されても、されなくても、自身による標準の単独部材について言うことができる。
“ケーブル（ｃａｂｌｅ）”という用語は、ケーブル自身並びに／もしくはコネクター内のコンタクトのような端子について言うことができる。
【００３６】
本発明の所定のここで説明された実施の形態は、ここでは特別に説明されたけれども、ここに示されかつ説明された種々の実施の形態の変形並びに変更が、本発明の範囲並びに精神から逸脱しないでなされ得ることは、本発明が属する分野の者にとって明らかであろう。従って、本発明は、請求の範囲と法の適用可能なルールとにより要求される範囲にのみ制限されることは、意図される。
【図面の簡単な説明】
【図１】図１は、本発明の一実施の形態に係る電気コネクターの分解斜視図である。
【図２】図２は、図１の組み合わされた電気コネクターの断面図である。
【図３】図３は、同軸的なコンタクト円筒留めクリップの部分的に切断された分解斜視図である。
【図４】図４は、留めクリップの斜視図である。
【図５】図５は、コンタクトの中心線に沿って一部が切断された側面図と断面図との組合わせである。
【図６】図６は、留めクリップがコンタクトの長軸の周りの異なる角度であることを除けば図５の断面図と類似の、図２の詳細図である。
【符号の説明】
１００…内側コネクター本体、１５０…留めクリップ、２００…外側コネクター本体、２１０…軸孔（中心スペース）、２７０…開口（ボア）、４００…留めクリップ、７００…コンタクト、９００…シエル、
【図１】
0003683864.tif 000002
【図２】
0003683864.tif 000003
【図３】
0003683864.tif 000004
【図４】
0003683864.tif 000005
【図５】
0003683864.tif 000006
【図６】
0003683864.tif 000007